(57)【要約】  本発明の目的は毛様体筋に対する訓練の効率が比較的高い視力訓練装置を提供するものである。目的を達成するための本発明による視力訓練装置は使用者の眼球に対応する少なくとも一つの接眼部を有するハウジングと、使用者の視線方向の前方にターゲットイメージを表示するディスプレイ部と、接眼部とディスプレイ部の間に配置されるレンズと、ディスプレイ部及びレンズのうち少なくとも一つを視線方向に沿って移動させることができる移動部と、ディスプレイ部及びレンズの移動範囲内で少なくとも一つの訓練区間を設定して訓練区間内でディスプレイ部及びレンズのうち少なくとも一つが移動されるように移動部を制御する制御部とを含む。
2019528956.tif 000002
【特許請求の範囲】
【請求項１】
使用者の眼球に対応する少なくとも一つの接眼部を有するハウジングと、
前記使用者の視線方向の前方にターゲットイメージを表示するよう構成されたディスプレイと、
前記接眼部と前記ディスプレイの間に配置されるレンズと、
前記ディスプレイ及び前記レンズのうち少なくとも一つを前記視線方向に沿って移動するよう構成されたアクチュエータと、
前記ディスプレイ及び前記レンズの移動範囲内で少なくとも一つの訓練区間を設定して前記訓練区間内で前記ディスプレイ及び前記レンズのうち少なくとも一つが移動されるように前記アクチュエータを制御するよう構成される制御部と
を含む、視力訓練装置。
【請求項２】
前記制御部は前記移動範囲内で調節近点位置及び調節遠点位置の間の区間に対応する調節区間を設定するよう構成され、
前記訓練区間は前記調節区間を含む、請求項１に記載の視力訓練装置。
【請求項３】
使用者から使用者入力信号の入力を受けるよう構成される使用者入力部をさらに含み、
前記制御部は、前記調節近点位置と前記調節遠点位置とを前記使用者入力信号の入力に応じて設定するよう構成される、請求項２に記載の視力訓練装置。
【請求項４】
前記使用者の眼球が正視眼状態から非正視眼状態に変化したり、非正視眼状態から正視眼状態に変化したりするかどうかを判定して調節状態変更確認信号を生成するセンサーモジュールをさらに含み、
前記制御部は前記調節状態変更確認信号に基づいて前記調節近点位置と前記調節遠点位置を設定する、請求項２または３に記載の視力訓練装置。
【請求項５】
前記制御部は、前記調節区間内で使用者入力部またはセンサーモジュールを通じた連続的または断続的調節速度の測定をし、
前記測定された調節速度に基づいて前記訓練区間内の訓練速度を決定するよう構成される、請求項２に記載の視力訓練装置。
【請求項６】
前記制御部は、前記調節区間内で調節近点位置及び調節遠点位置を決定し、
前記訓練区間は、前記調節近点位置及び前記調節遠点位置の間の高調節反応区間を決定するよう構成される、請求項２から５のいずれか一項に記載の視力訓練装置。
【請求項７】
前記視線方向に沿って前記レンズおよび前記ディスプレイの間、または前記レンズおよび前記接眼部の間に配置される、第２レンズをさらに含む、請求項１から６のいずれか一項に記載の視力訓練装置。
【請求項８】
前記アクチュエータは、前記レンズ及び前記第２レンズのうち少なくとも一つを移動するよう構成される、請求項７に記載の視力訓練装置。
【請求項９】
前記アクチュエータはピエゾアクチュエータ、ＶＣＭアクチュエータ、エンコーダアクチュエータのうち１または複数を含む、請求項８に記載の視力訓練装置。
【請求項１０】
前記アクチュエータは、前記第２レンズを前記視線方向に沿って移動させるよう構成される、第２アクチュエータをさらに含む、請求項７から９のいずれか一項に記載の視力訓練装置。
【請求項１１】
前記ディスプレイは、前記ターゲットイメージが前記ディスプレイの位置によって像の大きさが変わるよう構成される、請求項１から１０のいずれか一項に記載の視力訓練装置。
【請求項１２】
使用者の眼球により観察されるよう構成される少なくとも１つの接眼部と、前記使用者の視線方向の前方のターゲットイメージを表示するよう構成されるディスプレイと、前記接眼部および前記ディスプレイの間に配置されるレンズと、前記視線方向における前記ディスプレイおよび前記レンズのうち少なくとも１つを移動するよう構成されたアクチュエータとを有するハウジングを提供する段階と、
前記ディスプレイおよび前記レンズの移動範囲内に訓練区間を決定する段階と、
前記訓練区間内で前記ディスプレイおよび前記レンズのうち少なくとも１つを移動する段階と、を備える、
視力改善方法。
【請求項１３】
前記移動範囲内で調節近点位置および調節遠点位置の間の区間に対応する調節区間を決定する段階をさらに備え、
前記訓練区間は前記調節区間を含む、請求項１２に記載の視力改善方法。
【請求項１４】
使用者入力信号の入力に応じて、前記調節近点位置および前記調節遠点位置を決定する段階をさらに備える、請求項１３に記載の視力改善方法。
【請求項１５】
前記使用者の眼球が正視眼状態および非正視眼状態の間で変化したかどうかを判定するセンサーに基づいて、前記調節近点位置および前記調節遠点位置を決定する段階をさらに備える、請求項１３に記載の視力改善方法。
【請求項１６】
使用者の入力またはセンサーに基づいて前記調節区間内で連続的または断続的な調節速度の測定をする段階と、
前記測定された調節速度に基づいて前記訓練区間内で訓練速度を決定する段階と、をさらに備える、請求項１３から１５のいずれか一項に記載の視力改善方法。
【請求項１７】
前記調節区間内で前記調節近点位置および前記調節遠点位置と、前記調節近点位置および前記調節遠点位置の間の高調節区間を決定する段階をさらに備える、請求項１３から１６のいずれか位置項に記載の視力改善方法。
【請求項１８】
前記視線方向に沿って前記レンズおよび前記ディスプレイの間、または前記レンズおよび前記接眼部の間に配置された第２レンズを移動する段階をさらに備える、請求項１２から１７のいずれか一項に記載の視力改善方法。
【請求項１９】
前記ターゲットイメージのイメージサイズは、前記ディスプレイの位置に依存する、請求項１２から１８のいずれか一項に記載の視力改善方法。
【発明の詳細な説明】
【技術分野】
【０００１】
本発明は使用者の視力特性を基に眼球筋肉を訓練する視力訓練装置に関するものである。
【背景技術】
【０００２】
視力は多様な眼球筋肉のうち毛様体筋と関連性が高い。それでこの毛様体筋を収縮または弛緩させる訓練を実施することによって視力を向上させたり、維持したりすることができる。ところがヒトの毛様体筋は個人別に互いに異なる能力を有しているのでヒト毎の視力に相応するカスタマイズされた視力訓練を実施することが効果的である。
【０００３】
しかしながら、従来の視力訓練装置はヒト毎の視力特性を考慮せずに単純に使用者眼球の焦点距離を変化させて毛様体筋に対する訓練を実施した。それで使用者によっては訓練効率が低かったり、訓練適応が難しかったりする場合が多かった。
【発明の概要】
【発明が解決しようとする課題】
【０００４】
本発明の目的は毛様体筋に対する訓練の効率が比較的高い視力訓練装置を提供するものである。
【課題を解決するための手段】
【０００５】
目的を達成するための本発明による視力訓練装置は使用者の眼球に対応する少なくとも一つの接眼部を有するハウジングと、使用者の視線方向の前方にターゲットイメージを表示するディスプレイ部と、接眼部とディスプレイ部の間に配置されるレンズと、ディスプレイ部及びレンズのうち少なくとも一つを視線方向に沿って移動させることができる移動部と、ディスプレイ部及びレンズの移動範囲内で少なくとも一つの訓練区間を設定して訓練区間内でディスプレイ部及びレンズのうち少なくとも一つが移動されるように移動部を制御する制御部とを含む。
【０００６】
ここで、制御部は移動範囲内で所定の調節近点位置及び調節遠点位置の間に該当する鮮明視域区間を設定し、訓練区間は鮮明視域区間を含むことが好ましい。
【０００７】
そして、使用者から使用者入力信号の入力を受ける使用者入力部をさらに含み、調節近点位置と調節遠点位置は使用者入力信号の入力を通じて設定されることが好ましい。
【０００８】
また、使用者の眼球が正視眼状態から非正視眼状態に変化したり、非正視眼状態から正視眼状態に変化したりすることをチェックして視認度変更確認信号を生成するセンサーモジュールをさらに含み、制御部は視認度変更確認信号を基に調節近点位置と調節遠点位置を設定することが好ましい。
【０００９】
そして、制御部は鮮明視域区間内で使用者入力部またはセンサーモジュールを通じた連続的または断続的調節適応速度の測定をし、測定された速度を反映してディスプレイ部及びレンズの訓練区間内の訓練速度を決定することが好ましい。
【００１０】
また、制御部は鮮明視域区間内で所定の近接調節適応臨界位置及び遠隔調節適応臨界位置を設定し、訓練区間は近接調節適応臨界位置及び遠隔調節適応臨界位置の間に該当する高調節反応区間のうち少なくとも一部区間を含むことが好ましい。
【００１１】
そして、視線方向に沿ってレンズとディスプレイ部の間またはレンズと接眼部の間に配置される少なくとも一つの第２レンズをさらに含むことが好ましい。
【００１２】
また、移動部は第２レンズを移動させるための第２移動部を含み、第２移動部はピエゾアクチュエータ、ＶＣＭアクチュエータ、エンコーダアクチュエータのうちいずれか一つであることが好ましい。
【００１３】
そして、移動部はレンズ及び第２レンズのうち少なくとも一つを選択的に移動することが好ましい。
【００１４】
また、ターゲットイメージはディスプレイ部の位置によって像の大きさが変わることが好ましい。
【発明の効果】
【００１５】
本発明による視力訓練装置は使用者毎の視力特性を考慮して毛様体筋に対する訓練の効率が比較的高いので視力回復の効果に優れている。
【図面の簡単な説明】
【００１６】
【図１】本発明による視力訓練装置を示した斜視図である。
【００１７】
【図２】本発明による視力訓練装置の制御ブロック図である。
【００１８】
【図３】本発明の視力訓練装置を利用した調節近点位置及び調節遠点位置を測定する多様な方法を示した説明図である。
【００１９】
【図４】本発明のディスプレイ移動方式による測定及び訓練過程を説明するための参考図であり、
【００２０】
【図５】図３（Ａ）による調節近点位置及び調節遠点位置を測定する過程を示した順序図であり、
【００２１】
【図６】本発明の視力訓練装置を利用した訓練モード過程を示した順序図である。
【００２２】
【図７】本発明の他の実施例による視力訓練装置を利用した訓練モード過程を示した順序図である。
【００２３】
【図８】は図７の実施例による訓練方法を説明するための参考図である。
【００２４】
【図９】レンズの移動による訓練過程を説明するための参考図である。
【００２５】
【図１０】複数のレンズを備えた視力訓練装置を概略的に示した説明図である。
【発明を実施するための形態】
【００２６】
図１は本発明による視力訓練装置を示した斜視図である。図１から見ることができるように、本視力訓練装置は仮想線で表示されたハウジング（１１０）と、ハウジング（１１０）の内部に左右に並んで配置された一対の視力訓練ユニット（１２０）を有する。
ハウジング（１１０）は左眼及び右眼の視野を互いに遮断するために一対の視力訓練ユニット（１２０）の間に配置される仕切り板（１２２）を有する。ここでそれぞれの視力訓練ユニット（１２０）は個別ハウジング構造で仕切り板（１２２）を代替することができる。
【００２７】
ハウジング（１１０）は使用者の両眼に対応してハウジング（１１０）の内部を見ることができるように貫通された接眼孔を有する一対の接眼部（１２４）を有する。ここで、一対の接眼部（１２４）は分離されずに相互連結されて一つの貫通孔の形態で備えられることもできる。ハウジング（１１０）の上面には使用者から信号の入力を受けることができる使用者入力部（１６０）が設置される。使用者は使用者入力部（１６０）を通じて必要な情報を入力したり、訓練条件、訓練モード等を選択したりすることができる。ハウジング（１１０）は使用者の顔に固定されることができるように助ける伸縮性のある材質のストラップあるいは頭固定装置を含むことができる。
【００２８】
視力訓練ユニット（１２０）は視線方向に沿って相互対向するように配置されるディスプレイ（１３０）とレンズ（１４０）を有する。視力訓練ユニット（１２０）はレンズ（１４０）を支持するためのレンズホルダー（１４２）を有する。各レンズホルダー（１４２）は接眼部（１２４）に対応するように配置される。使用者はレンズホルダー（１４２）に支持されたレンズ（１４０）を通じてディスプレイ（１３０）を見ることができる。
【００２９】
ディスプレイ（１３０）は視力訓練のためのターゲットイメージを表示する。ディスプレイ（１３０）はＬＣＤ、ＬＥＤ等、電子的なディスプレイ装置または紙、プラスチック板等のような単純表示板であり得る。ターゲットイメージは風景、図形、点、幾何学的形状等、静的なイメージまたは動画であり得る。
【００３０】
レンズ（１４０）はレンズホルダー（１４２）に取り付けられて接眼部（１２４）とディスプレイ（１３０）の間に配置される。使用者は接眼部（１２４）とレンズ（１４０）を通じてディスプレイ（１３０）に表示されるターゲットイメージを見ることができる。ここで、レンズ（１４０）は凸レンズであることが好ましい。凸レンズは使用者の眼球とターゲットイメージの間の焦点距離を変更して使用者がイメージを実際距離より遠く位置するものと認識するようにしてイメージの遠近感を拡張させることができる。しかしながら、レンズ（１４０）は凸レンズに限定されずに偏光レンズ、カラーレンズ等のような多様な種類のレンズとして採択されることができる。偏光レンズまたはカラーレンズを採択する場合、使用者はターゲットイメージの一部をフィルタリングすることができる。
【００３１】
ディスプレイ（１３０）とレンズホルダー（１４２）は移動部（１５０）によって相互連結される。移動部（１５０）はリードスクリュー（１５１）と移動体（１５２）及び駆動モータ部（１５３）を含む。ここで、移動体（１５２）はディスプレイ（１３０）側に結合されて駆動モータ部（１５３）はレンズホルダー（１４２）側に結合されるか逆の場合も可能である。リードスクリュー（１５１）は駆動モータ（１５３）と移動体（１５２）を連結する。
【００３２】
このような構成により、駆動モータ（１５３）が駆動されるとリードスクリュー（１５１）が回転しながらディスプレイ（１３０）とレンズ（１４０）が視線方向に沿って互いに相対的な接近または離隔移動をする。即ち、ディスプレイ（１３０）がハウジング（１１０）に固定された状態で駆動モータ（１５３）を駆動するとレンズ（１４０）がディスプレイ（１３０）に対して相対的な移動をし、レンズホルダー（１４２）がハウジング（１１０）に固定された状態で駆動モータ（１５３）を駆動するとディスプレイ（１３０）がレンズ（１４０）に対して相対的な移動をする。一方、ディスプレイ（１３０）とレンズ（１４０）が同時に個別的な運動が可能なようにディスプレイ（１３０）とレンズホルダー（１４２）それぞれをハウジング（１１０）に対して移動させることができる構成を有することもできる。また使用者の操作による手動駆動方式を採択することもできる。
【００３３】
図２は本発明に他の視力訓練装置の制御ブロック図である。図２を図１と共に参照してみると、本視力訓練装置は複数の使用者入力ボタン（１６１から１６６）を有する使用者入力部（１６０）で入力される情報を受領する制御部（１９０）を含む。使用者入力部（１６０）の各ボタンは電源ボタン、使用者選択ボタン、前方移動ボタン、後方移動ボタン、測定モードボタン及び訓練モードボタン等で備えられることができる。使用者入力部（１６０）は有線あるいは無線リモートコントローラーに代替されたり、音声認識方式あるいはジャイロセンサーや映像認識センサーを利用した視線追跡方式で具現されたりすることもできる。
【００３４】
本視力訓練装置はスマートフォン、タブレット、ＰＣ、使用者サーバー等のような外部装置と有線または無線で通信することができるようにする通信部（１７０）を含む。通信部（１７０）は視力訓練装置から生成されたデータを外部装置に伝送したり、外部装置からデータの伝送を受けたりすることができる。
【００３５】
本視力訓練装置は使用者情報、ジオプター換算データ、視力データ、訓練データ及び視力訓練装置の動作に必要な多様なデータを保存するメモリー部（１８０）を含む。ジオプター換算データはディスプレイ（１３０）とレンズ（１４０）の移動範囲内でディスプレイ（１３０）とレンズ（１４０）の各位置をジオプター値に換算したデータを意味する。
【００３６】
制御部（１９０）は一対のディスプレイ（１３０）及びレンズ（１４０）のうち少なくとも一つを個別的に制御することができる。これによって、本発明による視力訓練装置は左眼、右眼または両眼に対する自由な選択による視力訓練が可能である。
【００３７】
図３は本発明の視力訓練装置を利用した調節近点位置（Ｐ５）及び調節遠点位置（Ｐ６）を測定する多様な方法を示した説明図であり、図４は本発明のディスプレイ移動方式による測定及び訓練過程を説明するための参考図であり、図５は図３（Ａ）による調節近点位置（Ｐ５）及び調節遠点位置（Ｐ６）を測定する過程を示した順序図である。図５を図３及び図４と共に参照してみると、本発明による調節近点位置（Ｐ５）及び調節遠点位置（Ｐ６）は図３（Ａ）のようにディスプレイ（１３０）またはレンズ（１４０）を遠隔位置（Ｐ２）から近接位置（Ｐ１）に移動させながら測定することができる。
【００３８】
まず使用者は使用者入力部（１６０）の電源入力ボタンを押して電源を印加する。そして使用者は視力訓練装置を着用した後、使用者入力部（１６０）の測定モード選択ボタンを押して測定モードを選択する（Ｓ１１０）。
【００３９】
使用者によって測定モードが選択されると、制御部（１９０）は駆動モータ（１５３）を制御してディスプレイ（１３０）またはレンズ（１４０）を遠隔位置（Ｐ２）に移動させる（Ｓ１２０）。遠隔位置（Ｐ２）はディスプレイ（１３０）またはレンズ（１４０）の移動範囲（ＭＲ）のうち接眼部（１２４）から最も遠く離れた位置であるが所定範囲内で調整されることができる。
【００４０】
制御部（１９０）は駆動モータ（１５３）を制御してディスプレイ（１３０）またはレンズ（１４０）を遠隔位置（Ｐ２）から接眼部（１２４）に向かって連続的または断続的に接近移動させる（Ｓ１３０）。この時、連続的な場合移動速度、断続的な場合維持速度は設定された速度で調整が可能である。
【００４１】
制御部（１９０）は使用者入力部（１６０）から調節適応確認入力があるか確認する（Ｓ１４０）。調節適応確認入力は使用者の眼球が非正視眼状態から正視眼状態に変更される場合、使用者によって使用者入力部（１６０）を通じて制御部（１９０）に伝送される信号である。使用者はディスプレイ（１３０）あるいはレンズ（１４０）が移動することによってターゲットイメージ（ＴＩ）がぼんやりした状態から鮮明に見える瞬間、即ち、使用者のターゲットイメージ（ＴＩ）に対する視認度が変わる瞬間に使用者入力部（１６０）の使用者選択ボタンを押すことによって調節適応確認信号が入力される。
【００４２】
制御部（１９０）は使用者入力部（１６０）から調節適応確認信号の入力を受ける場合、調節適応確認信号が入力された時点におけるディスプレイ（１３０）あるいはレンズ（１４０）の臨界位置を調節遠点位置（Ｐ６）として保存する（Ｓ１５０）。
【００４３】
以後、制御部（１９０）は駆動モータ（１５３）を制御してディスプレイ（１３０）あるいはレンズ（１４０）を接眼部（１２４）に向かって連続的または断続的に接近移動させる（Ｓ１６０）。この時、連続的な場合移動速度、断続的な場合停止状態における待機時間が調整が可能である。
【００４４】
制御部（１９０）は使用者入力部（１６０）から調節適応確認入力があるか確認する（Ｓ１７０）。この時の調節適応確認入力は使用者の眼球が正視眼状態から非正視眼状態に変更される場合、使用者によって使用者入力部（１６０）を通じて制御部（１９０）に伝送される信号である。使用者はディスプレイ（１３０）あるいはレンズ（１４０）が移動することによってターゲットイメージ（ＴＩ）が鮮明な状態からぼんやり見える瞬間、即ち、使用者のターゲットイメージ（ＴＩ）に対する視認度が変わる瞬間に使用者入力部（１６０）の使用者選択ボタンを押すことによって調節適応確認信号が入力される。
【００４５】
制御部（１９０）は使用者入力部（１６０）から調節適応確認信号の入力を受ける場合、調節適応確認入力信号が入力された時点におけるディスプレイ（１３０）またはレンズ（１４０）の臨界位置を調節近点位置（Ｐ５）として保存する（Ｓ１８０）。前述した調節遠点位置（Ｐ６）及び調節近点位置（Ｐ５）は個別的に測定可能である。
【００４６】
本発明による調節遠点位置（Ｐ６）と調節近点位置（Ｐ５）は前述した遠隔位置（Ｐ２）から近接位置（Ｐ１）に対して接近移動する方式以外に多様な方式で測定されることができる。
【００４７】
一方、本発明による調節近点位置（Ｐ５）及び調節遠点位置（Ｐ６）は図３（Ｂ）のようにディスプレイ（１３０）またはレンズ（１４０）を近接位置（Ｐ１）から遠隔位置（Ｐ２）に移動させながら測定することができる。
【００４８】
制御部（１９０）は駆動モータ（１５３）を制御してディスプレイ（１３０）あるいはレンズ（１４０）を近接位置（Ｐ１）に移動させる。近接位置（Ｐ１）はディスプレイ（１３０）の移動範囲のうち接眼部（１２４）に最も近い位置であるかまたは接眼部（１２４）から所定距離離隔された位置であることが好ましい。
【００４９】
制御部（１９０）はディスプレイ（１３０）あるいはレンズ（１４０）を近接位置（Ｐ１）に移動させた後、駆動モータ（１５３）を制御してディスプレイ（１３０）あるいはレンズ（１４０）を接眼部（１２４）から遠隔位置（Ｐ２）方向に連続的または断続的に離隔移動させる。この時、連続的な場合移動速度、断続的な場合待機時間は調整が可能である。
【００５０】
制御部（１９０）は使用者入力部（１６０）から調節適応確認信号の入力があるか確認する。使用者はディスプレイ（１３０）あるいはレンズ（１４０）が移動することによってターゲットイメージ（ＴＩ）がぼんやりした状態から鮮明に見える瞬間、即ち、使用者のターゲットイメージ（ＴＩ）に対する視認度が変わる瞬間に使用者入力部（１６０）の使用者選択ボタンを押すことによって調節適応確認信号が入力される。制御部（１９０）は使用者入力部（１６０）から調節適応確認信号が入力された時点でディスプレイ（１３０）あるいはレンズ（１４０）の位置を調節近点位置（Ｐ５）として保存する。
【００５１】
引き続き、制御部（１９０）は駆動モータ（１５３）を制御してディスプレイ（１３０）あるいはレンズ（１４０）を遠隔位置（Ｐ２）方向に連続的または断続的に離隔移動させる。この時、連続的な場合移動速度、断続的な場合待機時間の調整が可能である。
【００５２】
制御部（１９０）は使用者入力部（１６０）から調節適応確認信号の入力があるか確認する。使用者はディスプレイ（１３０）あるいはレンズ（１４０）が移動することによってターゲットイメージ（ＴＩ）が鮮明な状態からぼんやり見える瞬間、即ち、使用者のターゲットイメージ（ＴＩ）に対する視認度が変わる瞬間に使用者入力部（１６０）の使用者選択ボタンを押すことによって調節適応確認信号が入力される。制御部（１９０）は使用者入力部（１６０）から調節適応確認信号の入力を受ける場合、この信号が入力された時点におけるディスプレイ（１３０）あるいはレンズ（１４０）の位置を調節遠点位置（Ｐ６）として保存する。調節近点位置（Ｐ５）または調節遠点位置（Ｐ６）は連続的測定ではなく二つのうちいずれか一つだけ測定することができる。
【００５３】
本発明による調節近点位置（Ｐ５）及び調節遠点位置（Ｐ６）は図３（Ｃ）のようにディスプレイ（１３０）またはレンズ（１４０）を使用者合わせ位置を基準にディスプレイ（１３０）あるいはレンズ（１４０）を近接位置（Ｐ１）または遠隔位置（Ｐ２）に移動させながら測定することができる。
【００５４】
使用者の年齢による統計学的に平均的な明視域範囲の中心点を任意に予め設定したり、設定された速度でディスプレイ（１３０）あるいはレンズ（１４０）を視線範囲内接近離隔時に使用者が最も安らかに感じる位置を使用者入力部（１６０）から入力を受けた使用者合わせ位置を基準に、ディスプレイ（１３０）あるいはレンズ（１４０）を接眼部（１２４）側に移動させながら正視眼状態から非正視眼状態に転移される時、使用者入力部で入力される信号を基に調節近点位置（Ｐ５）を決定したりするかその反対方向に移動させながら調節遠点位置（Ｐ６）を決定したりすることもできる。
【００５５】
本発明による調節近点位置（Ｐ５）及び調節遠点位置（Ｐ６）は図３（Ｄ）のようにディスプレイ（１３０）またはレンズ（１４０）を遠隔位置（Ｐ２）から近接位置（Ｐ１）に移動させながら調節近点位置（Ｐ５）を決定し、連続的に近接位置（Ｐ１）から遠隔位置（Ｐ２）に移動させながら調節遠点位置（Ｐ６）を決定することができる。
【００５６】
ディスプレイ（１３０）あるいはレンズ（１４０）が遠隔位置（Ｐ２）から近接位置（Ｐ１）に接近移動する場合、非正視眼状態から正視眼状態に転移及び正視眼状態から非正視眼状態に転移する現象が発生する。ここで図３（Ｄ）のような方式では正視眼状態から非正視眼状態に転移される時、使用者入力部で入力される信号を基に調節近点位置（Ｐ５）を決定する。
【００５７】
そしてディスプレイ（１３０）あるいはレンズ（１４０）が近接位置（Ｐ１）から遠隔位置（Ｐ２）に離隔移動する場合も非正視眼状態から正視眼状態に転移及び正視眼状態から非正視眼状態に転移する現象が発生する。ここで図３（Ｄ）のような方式では正視眼状態から非正視眼状態に転移される時、使用者入力部で入力される信号を基に調節遠点位置（Ｐ６）を決定する。この時、ディスプレイ（１３０）あるいはレンズ（１４０）の移動速度をますます遅く繰り返し的に測定しながら、収斂する調節近点位置（Ｐ５）及び調節遠点位置（Ｐ６）を選択することが好ましい。
【００５８】
本発明による調節近点位置（Ｐ５）及び調節遠点位置（Ｐ６）は前述した四つの方法以外に多様な方法で決定されることができる。例えば、ディスプレイ（１３０）あるいはレンズ（１４０）が遠隔位置（Ｐ２）から近接位置（Ｐ１）にまたは近接位置（Ｐ１）から遠隔位置（Ｐ２）に連続的に移動しながら測定することができる。ここで、ディスプレイ（１３０）あるいはレンズ（１４０）が移動する速度を異なるようにする場合、測定される調節近点位置（Ｐ５）及び調節遠点位置（Ｐ６）の位置が異なるように測定されることができる。ディスプレイ（１３０）あるいはレンズ（１４０）の移動速度が速いほど調節近点位置（Ｐ５）及び調節遠点位置（Ｐ６）の間の幅が狭く測定され、移動速度が遅いほど調節近点位置（Ｐ５）及び調節遠点位置（Ｐ６）の間の幅が広く測定される。
【００５９】
そして前述したように多様な方法で測定された複数の調節近点位置（Ｐ５）及び調節遠点位置（Ｐ６）のうち適切なものを選択することができる。例えば、調節近点位置（Ｐ５）は図３（Ｂ）で説明した方法で決定されたものを選択し、調節遠点位置（Ｐ６）は図３（Ａ）で説明した方法で決定されたものを選択することができる。
【００６０】
図３（Ａ）から（Ｄ）で測定された各調節近点位置（Ｐ５）及び調節遠点位置（Ｐ６）は互いにその位置が少しずつ異なり得る。この時、調節近点位置（Ｐ５）は図３（Ｂ）で測定された調節近点位置（Ｐ５）が好ましく、調節遠点位置（Ｐ６）は図３（Ａ）で測定された調節遠点位置（Ｐ６）が好ましいが、図３（Ｃ）または図３（Ｄ）で測定された調節近点位置（Ｐ５）及び調節遠点位置（Ｐ６）を選択することができる。
【００６１】
信頼性のある調節近点位置（Ｐ５）及び調節遠点位置（Ｐ６）を決定するために、使用者は前述した測定過程を繰り返して行ってその結果を平均して調節近点位置（Ｐ５）及び調節遠点位置（Ｐ６）を決定することが好ましい。
【００６２】
本発明の実施例による視力訓練装置は前述した調節近点位置（Ｐ５）及び調節遠点位置（Ｐ６）を測定する多様な方法で決定された情報を通じて使用者毎に固有の視認度臨界情報に換算することができる。視認度臨界情報は前述した調節近点位置（Ｐ５）及び調節遠点位置（Ｐ６）値に基づいて設定されるものであって、その位置値をそのまま設定したり、基準位置からディスプレイ（１３０）あるいはレンズ（１４０）の距離値で表現されたり、または該当位置におけるジオプター換算値で表現されたりすることができる。このような調節近点及び調節遠点位置情報は使用者の調節力と関連する要素であって使用者の視力を評価するための重要なパラメーターとして使用されることができる。また、このような測定モードを通じて使用者の視力特性を把握して把握された視力特性を考慮した使用者カスタマイズ型視力訓練を提供することによって、視力改善の効果が極大化されることができる。
【００６３】
一方、本視力訓練装置は使用者の眼球に向かって赤外線あるいは光を出力して眼球から反射された赤外線あるいは光を受領して使用者の眼球が正視眼状態にあるかまたは非正視眼状態にあるかを判断するセンサーモジュールを含むことができる。センサーモジュールは設定された周期毎に繰り返し的に使用者の眼球の視認度が変わるかを確認する。即ち、使用者の眼球が正視眼状態から非正視眼状態に変わるかをチェックして非正視眼状態に変わったと判断される場合あるいは眼球が非正視眼状態から正視眼状態に変わるかをチェックして正視眼状態に変わったと判断される場合、制御部（１９０）に視認度変更確認信号を伝送することができる。制御部（１９０）は視認度変更確認信号を基に調節近点位置（Ｐ５）と調節遠点位置（Ｐ６）を設定する。
【００６４】
センサーモジュールは自動屈折検査器の検査原理のようなメカニズムを利用することができる。即ち、センサーモジュールは赤外線あるいは光を使用者の眼球に向かって出力する光出力部と使用者の眼球から反射される反射光を探知する光探知部及び探知された反射光の焦点距離を計算してこれを利用して眼球に向かって出力された赤外線あるいは光が眼球で結ばれる位置を計算する屈折確認部を含む。
【００６５】
制御部（１９０）は測定モードを通じて決定された調節近点位置（Ｐ５）と調節遠点位置（Ｐ６）に基づいて鮮明視域区間（ＡＲ）を設定する。鮮明視域区間（ＡＲ）は調節近点位置（Ｐ５）と調節遠点位置（Ｐ６）の間の領域に該当する。ディスプレイ（１３０）またはレンズ（１４０）の移動範囲（ＭＲ）内で鮮明視域区間（ＡＲ）を外れた区間（ＮＡＲ１、ＮＡＲ２）は不明視域区間である。
【００６６】
図６は本発明の視力訓練装置を利用した訓練モード過程を示した順序図である。使用者は使用者入力部（１６０）の電源入力ボタンを押して視力訓練装置に電源を印加した後、視力訓練装置を着用して使用者入力部（１６０）の訓練モード選択ボタンを押すことによって訓練モードを選択する（Ｓ２１０）。
【００６７】
使用者によって訓練モードが選択されると、制御部（１９０）はディスプレイ（１３０）の移動範囲（ＭＲ）内で少なくとも一つの訓練区間を設定する（Ｓ２２０）。訓練区間は鮮明視域区間（ＡＲ）を含むことが視力向上に効果的である。ここで、制御部（１９０）は移動範囲（ＭＲ）内で鮮明視域区間（ＡＲ）を含み、不明視域区間（ＮＡＲ１、ＮＡＲ２）のうち少なくとも一部区間をさらに含んで訓練区間に設定することができる。
【００６８】
訓練区間内でディスプレイ（１３０）あるいはレンズ（１４０）は設定された訓練区間を連続的に移動したり、または所定の離隔距離だけ移動したりした後、設定された待機時間の間に待機する断続的移動動作が繰り返して行われる（Ｓ２３０）。この時、ディスプレイ（１３０）あるいはレンズ（１４０）が移動する速度及び移動後待機する待機時間を個別使用者の視力特性を考慮して設定する場合、視力訓練を通じた視力改善がさらに効果的になされることができる。
【００６９】
図７は本発明の他の実施例による視力訓練装置を利用した訓練モード過程を示した順序図であり、図８は図７の実施例による訓練方法を説明するための参考図である。これらの図面を参照してみると、使用者別視力特性を反映して連続的移動速度及び断続的待機時間を設定するために、まず、制御部（１９０）はディスプレイ（１３０）あるいはレンズ（１４０）を制御してディスプレイ（１３０）あるいはレンズ（１４０）を訓練区間内の複数の測定位置のうちいずれか一つの測定位置に位置させる（Ｓ３１０）。説明の便宜のためにディスプレイ（１３０）あるいはレンズ（１４０）が第１測定位置（ＭＰ１）から第２測定位置（ＭＰ２）に移動するものと仮定して説明する。
【００７０】
制御部（１９０）は使用者入力部（１６０）またはセンサーモジュール（２００）を通じて調節適応確認信号が入力されるかを確認する（Ｓ３２０）。調節適応確認入力は使用者が認識するターゲットイメージが鮮明になったことまたは使用者の眼球が正視眼状態になったことを示す信号である。
【００７１】
使用者は第２測定位置（ＭＰ２）でターゲットイメージが鮮明になる瞬間、使用者入力部（１６０）を押すことによって調節適応確認入力信号が入力される。センサーモジュール（２００）を通じて入力される場合、センサーモジュール（２００）は設定された周期毎に繰り返し的に使用者の眼球の正視眼状態を確認し、使用者の眼球が正視眼状態である場合、制御部（１９０）に調節適応確認入力信号を伝送する。
【００７２】
調節適応確認信号が入力された場合、制御部（１９０）は該当測定位置（ＭＰ２）に対する適応時間を保存する（Ｓ３３０）。ここで、調節適応時間とはディスプレイ（１３０）あるいはレンズ（１４０）が第２測定位置（ＭＰ２）に移動した後調節適応確認入力が入力されるまでの時間を意味する。このような調節適応時間は使用者の視力特性によって互いに異なる値を有する。本発明による視力訓練装置でディスプレイ（１３０）あるいはレンズ（１４０）の位置は所定のジオプター値に換算されることができ、ジオプター換算値として使用者に提供されることもできる。
【００７３】
このような調節適応時間の測定は複数の測定位置（ＭＰ１からＭＰ１０）全てに対してそれぞれ行われることができる。各測定位置に対する調節適応時間の測定はディスプレイ（１３０）あるいはレンズ（１４０）の移動方向によって区分されて測定することが好ましい。これは同一の測定位置に対する調節適応時間でもターゲットイメージを認識する前に位置していたディスプレイ（１３０）あるいはレンズ（１４０）の位置によってその調節適応時間が異なり得るためである。
【００７４】
複数の測定位置それぞれに対する調節適応時間が決定された場合、制御部（１９０）は決定された調節適応時間を反映して位置別ディスプレイ（１３０）あるいはレンズ（１４０）の断続的維持時間または連続的移動速度（Ｖ）のうちいずれか一つを設定する（Ｓ３４０）。断続的維持時間は該当位置でディスプレイ（１３０）あるいはレンズ（１４０）が留まる時間であり、連続的移動速度（Ｖ）は該当位置を通過するディスプレイ（１３０）あるいはレンズ（１４０）の速度を意味する。
【００７５】
断続的維持時間または連続的移動速度（Ｖ）が決定された後、制御部（１９０）はディスプレイ（１３０）あるいはレンズ（１４０）が該当位置で設定された維持時間の間に留まったり、該当位置を設定された移動速度で通過したりするようにディスプレイ（１３０）あるいはレンズ（１４０）を制御する（Ｓ３５０）。
【００７６】
前述したように、それぞれの測定位置に対する適応時間を考慮して視力訓練を行うことは使用者の該当位置における調節適応時間を考慮して視力訓練を行うものである。従って、視力訓練を効率的に行うと同時に視力訓練を通じた毛様体筋の強化をさらに効果的に行うことができる。
【００７７】
調節適応時間が短い区間ではターゲットイメージ（Ｔ１）に適応する時間が短いので使用者の眼球の適応力が比較的高い。従って適応時間が短い領域では訓練区間の幅を比較的大きくし、適応時間が長くかかる領域では訓練区間の幅を比較的小さくして使用者が訓練中に過度な負荷がかからないながらも効果的な訓練効果を得ることができるようにすることができる。
【００７８】
前述したように、各訓練区間内にディスプレイ（１３０）あるいはレンズ（１４０）の連続的移動速度及び断続的維持時間と訓練区間の幅を使用者の適応時間を考慮して可変的に設定することによって、視力改善の効果をより極大化することができる。
【００７９】
前述した情報を基に制御部（１９０）は効果的な訓練区間設定のために鮮明視域区間（ＡＲ）内に近接調節適応臨界位置（Ｐ３）と遠隔調節反応臨界位置（Ｐ４）を設定することができる。制御部（１９０）は鮮明視域区間（ＡＲ）の幅と使用者の年齢帯による特性を考慮した数値を組み合わせて近接調節適応臨界位置（Ｐ３）と遠隔調節反応臨界位置（Ｐ４）を設定することができる。例えば、鮮明視域区間（ＡＲ）の幅が広い場合、高調節適応区間（ＦＡＲ）がさらに広く設定されることができ、年齢が高いほど高調節適応区間（ＦＡＲ）の幅をさらに狭く設定することができる。近接調節適応臨界位置（Ｐ３）と遠隔調節反応臨界位置（Ｐ４）の間の区間を高調節適応区間（ＦＡＲ）に設定し、鮮明視域区間（ＡＲ）内の高調節適応区間（ＦＡＲ）以外の区間（ＳＡＲ１、ＳＡＲ２）を低調節適応区間に設定することができる。高調節適応区間（ＦＡＲ）は測定された位置（ＭＰ１からＭＰ１０）のうち選択して設定することもできる。高調節適応区間（ＦＡＲ）は使用者の眼球が調節反応を安らかにすることができる区間であって、訓練をするという認識をしない状態で調節訓練を通じた目の疲労度も下げる方法でＶＲ（Ｖｅｒｔｕａｌ  Ｒｅａｌｉｔｙ）につなぎ合わせて使用可能である。
【００８０】
さらに他の訓練区間の設定方法は制御部（１９０）はディスプレイ（１３０）あるいはレンズ（１４０）を調節近点位置（Ｐ５）または調節遠点位置（Ｐ６）のうちいずれか一つの位置に移動させる。以下で、説明の便宜のためにディスプレイ（１３０）あるいはレンズ（１４０）が調節近点位置（Ｐ５）に移動したものと仮定して説明する。
【００８１】
制御部（１９０）は調節近点位置（Ｐ５）に位置したディスプレイ（１３０）またはレンズ（１４０）を設定された離隔単位だけ遠隔位置（Ｐ２）の方向に離隔させた後、予め設定された待機時間の間にその位置を維持する測定動作を繰り返すように移動部（１５０）を制御する。使用者はレンズ（１４０）を通じて認識されるターゲットイメージ（ＴＩ）が設定された待機時間内に鮮明にならない場合、使用者入力部（１６０）を通じて調節適応確認信号を入力する。制御部（１９０）は使用者入力部（１６０）を通じて調節適応確認信号を受信すると、測定動作を停止させて調節適応確認信号を受信した時点におけるディスプレイ（１３０）及びレンズ（１４０）の位置を遠隔調節適応臨界位置（Ｐ４）に設定する。同様の方法で近接調節適応臨界位置（Ｐ３）も設定する。
【００８２】
さらに、他の方法として制御部（１９０）は近接調節適応臨界位置（Ｐ３）及び遠隔調節適応臨界位置（Ｐ４）を自動に設定することもできる。制御部（１９０）は使用者の年齢による統計学的に平均的な明視域範囲の中心点を任意に予め設定したり、設定された速度でディスプレイ（１３０）あるいはレンズ（１４０）を視線範囲内接近離隔時に使用者が最も安らかに感じる位置を使用者入力部（１６０）から入力を受けた使用者合わせ位置を基準から予め設定された距離だけ離隔された位置である近接調節適応臨界位置（Ｐ３）及び遠隔調節適応臨界位置（Ｐ４）を決定したりすることができる。この時、近接調節適応臨界位置（Ｐ３）及び遠隔調節適応臨界位置（Ｐ４）は使用者の年齢を基にして設定されることができる。
【００８３】
決定された近接調節適応臨界位置（Ｐ３）及び遠隔調節適応臨界位置（Ｐ４）によって近接低調節適応区間（ＳＡＲ１）及び遠隔低調節適応区間（ＳＡＲ２）が定められる。ここで、近接低調節適応区間（ＳＡＲ１）は調節近点位置（Ｐ５）と近接調節適応臨界位置（Ｐ３）の間の領域に該当し、遠隔低調節適応区間（ＳＡＲ２）は調節遠点位置（Ｐ６）と遠隔調節適応臨界位置（Ｐ４）の間の領域に該当する。各低調節適応区間（ＳＡＲ１、ＳＡＲ２）は使用者の眼球が有している調節余力（ａｃｃｏｍｍｏｄａｔｉｏｎ  ｒｅｓｅｒｖｅ  ｐｏｗｅｒ）の範囲を反映する区間である。このような低調節適応区間（ＳＡＲ１、ＳＡＲ２）で視力訓練を行う場合、使用者の調節余力及び調節力をより拡張して使用者の視力を改善することができる。
【００８４】
制御部（１９０）は近接低調節適応区間（ＳＡＲ１）及び遠隔低調節適応区間（ＳＡＲ２）が設定された場合、近接低調節適応区間（ＳＡＲ１）及び遠隔低調節適応区間（ＳＡＲ２）のうち少なくとも一部区間を訓練区間に含まれるように設定することが好ましい。即ち、訓練区間は高調節適応区間（ＦＡＲ）だけを含むことができるが、近接低調節適応区間（ＳＡＲ１）及び遠隔低調節適応区間（ＳＡＲ２）のうち少なくとも一つの一部区間を含むことが視力向上に効果的である。
【００８５】
訓練区間は近接低調節適応区間（ＳＡＲ１）から遠隔低調節適応区間（ＳＡＲ２）に設定されたり、近接低調節適応区間（ＳＡＲ１）から高調節適応区間（ＦＡＲ）に設定されたり、遠隔低調節適応区間（ＳＡＲ２）から高調節適応区間（ＦＡＲ）に設定されたりすることができる。勿論、近接低調節適応区間（ＳＡＲ１）または遠隔低調節適応区間（ＳＡＲ２）だけを訓練区間に設定することもできる。使用者はこのような訓練区間のうちいずれか一つを選択したり、組合せたりすることができる。使用者の選択がない場合、制御部（１９０）が任意に訓練区間を設定して選択することもできる。
【００８６】
訓練区間が設定されると、制御部（１９０）はディスプレイ（１３０）またはレンズ（１４０）を訓練区間内で移動するように制御する。制御部（１９０）はディスプレイ（１３０）またはレンズ（１４０）を連続的または断続的に移動させることができる。即ち、制御部（１９０）はディスプレイ（１３０）またはレンズ（１４０）を訓練区間内で連続的に往復移動させたり、設定された訓練区間内でディスプレイ（１３０）またはレンズ（１４０）を設定された離隔距離だけ移動させた後、設定された訓練時間の間に待機する動作を繰り返して行ったりすることができる。このようなディスプレイ（１３０）またはレンズ（１４０）の視線方向への移動はレンズ（１４０）のジオプター値を変更するような効果を起こす。即ち、屈折率を変化させるようになる。
【００８７】
この時ターゲットイメージ（Ｔ１）は距離によってイメージ像の大きさが変化することができる。例えば、ディスプレイ（１３０）またはレンズ（１４０）が接眼部（１２４）に近く接近するほどイメージ像の大きさをますます小さくし、逆に遠隔位置（Ｐ２）に遠くなるほどイメージ像の大きさをますます大きく設定する。これを通じてさらに正確な調節力測定及び訓練が可能である。
【００８８】
このような訓練によって、使用者の毛様体筋はディスプレイ（１３０）またはレンズ（１４０）の移動によって変化するターゲットイメージ（ＴＩ）との焦点距離の変化に適応するために収縮または弛緩し、これにより、毛様体筋が強化される。
【００８９】
視力訓練が完了すると、視力訓練装置は訓練を終了して訓練データをメモリー（１８０）に保存する。訓練データは一つのサイクルの訓練が終了されるまでの時間情報、訓練モード、訓練条件等に対する情報を含む。訓練データは使用者別に保存され、保存された訓練データを分析して訓練による視力改善程度を確認することができる。これにより、使用者は視力改善程度を確認して今後の訓練計画及び訓練方向を効果的に設定することができる。
【００９０】
このような本発明による視力訓練装置は使用者の現在視力に対応する調節近点位置（Ｐ５）及び調節遠点位置（Ｐ６）を測定し、これに基づいて訓練区間を設定するので視力改善効果が高い。
【００９１】
図９はレンズ（１４０）の移動による訓練過程を説明するための参考図である。図９から見ることができるように、本発明による視力訓練装置はディスプレイ（１３０）の移動及び／又はレンズ（１４０）を移動させることによってターゲットイメージ（ＴＩ）と眼球間の焦点距離を変化させて視力と関係となる毛様体筋を強化することができる。レンズ（１４０）の移動を通じた視力訓練も前述したディスプレイ（１３０）の移動による測定モード及び訓練モードについての説明内容と同様である。即ち、レンズ（１４０）を移動することによって、レンズ（１４０）の位置を近接調節適応臨界位置（Ｐ３）、遠隔調節適応臨界位置（Ｐ４）、調節近点位置（Ｐ５）、調節遠点位置（Ｐ６）を測定し、これを基にして高調節適応区間（ＦＡＲ）と近接低調節適応区間（ＳＡＲ１）及び遠隔低調節適応区間（ＳＡＲ２）を設定して視力訓練を実施することができる。
【００９２】
これはディスプレイ（１３０）またはレンズ（１４０）の移動の全てがターゲットイメージ（Ｔ１）と眼球間の焦点距離を変化させるとの同一の特性に起因したものである。勿論、ディスプレイ（１３０）とレンズ（１４０）を共に移動させることによってターゲットイメージ（ＴＩ）と眼球間の焦点距離を変化させて視力と関係となる毛様体筋を強化することもできる。
【００９３】
図１０は本発明の他の実施例による視力訓練装置を概略的に示した説明図である。図１０から見ることができるように、本視力訓練装置は視線方向に沿って複数のレンズを備えることができる。視力訓練装置は視線方向に沿って接眼部（１２４）とレンズ（１４０）の間に配置される第２レンズ（１４５）を含むことができる。このように複数のレンズを備えることによって、単一レンズである時よりさらに多様な屈折率変化を通じた視力訓練を実施することができる。第２レンズ（１４５）はレンズ（１４０）とディスプレイ（１３０）の間に配置されることもできる。第２レンズ（１４５）はその位置が固定されたり、移動したりすることができる。ここで、本発明による移動部（１５０）はレンズ（１４０）及び第２レンズ（１４５）のうち少なくとも一つを選択的に移動したり、共に移動したりすることができる。このために、移動部（１５０）はピエゾアクチュエータ、ＶＣＭアクチュエータ、エンコーダアクチュエータのうちいずれか一つとして採択されることができる。また、移動部（１５０）は第２レンズ（１４５）を移動させるための第２移動部を含むことができ、第２移動部はピエゾアクチュエータ、ＶＣＭアクチュエータ、エンコーダアクチュエータのうちいずれか一つを採択することができる。第２レンズ（１４５）に追加的に配置されて焦点距離の調節に追加的に影響を及ぼすことができる固定または移動可能な少なくとも一つのレンズが追加されることができる。
【００９４】
本発明によるターゲットイメージ（ＴＩ）はディスプレイ（１３０）の位置によってイメージ像の大きさが相応するように変化することができる。例えば、ディスプレイ（１３０）またはレンズ（１４０）が接眼部（１２４）に接近するほどターゲットイメージ（ＴＩ）のイメージ像の大きさを小さくし、接眼部（１２４）から離隔されるほどターゲットイメージ（ＴＩ）のイメージの像を大きくすることが好ましい。これを通じて、正確な調節力測定及び訓練が可能である。
【００９５】
本発明によるターゲットイメージは上下左右に移動されることができる。これを通じて多様な眼球筋肉を運動させることができる。
［項目１］
視力訓練装置において、
使用者の眼球に対応する少なくとも一つの接眼部を有するハウジングと、
上記使用者の視線方向の前方にターゲットイメージを表示するディスプレイ部と、
上記接眼部と上記ディスプレイ部の間に配置されるレンズと、
上記ディスプレイ部及び上記レンズのうち少なくとも一つを上記視線方向に沿って移動させることができる移動部と、
上記ディスプレイ部及び上記レンズの移動範囲内で少なくとも一つの訓練区間を設定して上記訓練区間内で上記ディスプレイ部及び上記レンズのうち少なくとも一つが移動されるように上記移動部を制御する制御部と、
を含む、視力訓練装置。
［項目２］
上記制御部は上記移動範囲内で所定の調節近点位置及び調節遠点位置の間に該当する鮮明視域区間を設定し、
上記訓練区間は上記鮮明視域区間を含む、項目１に記載の視力訓練装置。
［項目３］
使用者から使用者入力信号の入力を受ける使用者入力部をさらに含み、
上記調節近点位置と上記調節遠点位置は上記使用者入力信号の入力を通じて設定される、項目２に記載の視力訓練装置。
［項目４］
上記使用者の眼球が正視眼状態から非正視眼状態に変化したり、非正視眼状態から正視眼状態に変化したりすることをチェックして視認度変更確認信号を生成するセンサーモジュールをさらに含み、
上記制御部は上記視認度変更確認信号を基に上記調節近点位置と上記調節遠点位置を設定する、項目２または３に記載の視力訓練装置。
［項目５］
上記制御部は上記鮮明視域区間内で上記使用者入力部または上記センサーモジュールを通じた連続的または断続的調節適応速度の測定をし、
上記測定された速度を反映して上記ディスプレイ部及び上記レンズの上記訓練区間内の訓練速度を決定する、項目４に記載の視力訓練装置。
［項目６］
上記制御部は上記鮮明視域区間内で所定の近接調節適応臨界位置及び遠隔調節適応臨界位置を設定し、
上記訓練区間は上記近接調節適応臨界位置及び上記遠隔調節適応臨界位置の間に該当する高調節反応区間のうち少なくとも一部区間を含む、項目２から５のいずれか一項に記載の視力訓練装置。
［項目７］
上記視線方向に沿って上記レンズと上記ディスプレイ部の間または上記レンズと上記接眼部の間に配置される少なくとも一つの第２レンズをさらに含む、項目１から６のいずれか一項に記載の視力訓練装置。
［項目８］
上記移動部は上記レンズ及び上記第２レンズのうち少なくとも一つを選択的に移動する、項目７に記載の視力訓練装置。
［項目９］
上記移動部はピエゾアクチュエータ、ＶＣＭアクチュエータ、エンコーダアクチュエータのうちいずれか一つである、項目８に記載の視力訓練装置。
［項目１０］
上記移動部は上記第２レンズを移動させるための第２移動部を含む、項目７から９のいずれか一項に記載の視力訓練装置。
［項目１１］
上記ターゲットイメージは上記ディスプレイ部の位置によって像の大きさが変わる、項目１から１０のいずれか一項に記載の視力訓練装置。
【図１】
2019528956.tif 000003
【図２】
2019528956.tif 000004
【図３（Ａ）】
2019528956.tif 000005
【図３（Ｂ）】
2019528956.tif 000006
【図３（Ｃ）】
2019528956.tif 000007
【図３（Ｄ）】
2019528956.tif 000008
【図４】
2019528956.tif 000009
【図５】
2019528956.tif 000010
【図６】
2019528956.tif 000011
【図７】
2019528956.tif 000012
【図８】
2019528956.tif 000013
【図９】
2019528956.tif 000014
【図１０】
2019528956.tif 000015
【国際調査報告】
2019528956.tif 000016
2019528956.tif 000017
2019528956.tif 000018
2019528956.tif 000019
2019528956.tif 000020
2019528956.tif 000021